【事件の表示】
　特願２００６−５２５４７５号「動物摂取用組成物。」拒絶査定不服審判事件〔平成１７年　３月２４日国際公開、ＷＯ２００５／０２５３２２、平成１９年　３月　１日国内公表、特表２００７−５０３８３５号〕について、次のとおり審決する。
【結　論】
　本件審判の請求は、成り立たない。
【理　由】
第１　手続の経緯
　本願は，２００４年９月３日（優先権主張：２００３年９月５日　米国）を国際出願日とする出願であって，平成２３年１０月６日付けで拒絶査定され，これを不服として平成２４年２月１３日に審判が請求されると同時に手続補正がなされ，当審において平成２５年５月２８日付けで拒絶理由を通知したところ，平成２５年１１月２７日付けで意見書，及び手続補正書が提出されたものである。
　
第２　本願発明について
１．本願発明
　本件出願の請求項１〜８に係る発明は，平成２５年１１月２７日付け手続補正書で補正された特許請求の範囲の請求項１〜８に記載された事項により特定されるものと認められるところ，請求項１に係る発明（以下「本願発明」という。）は，次のとおりである。
「【請求項１】
　(a)　組成物の乾燥重量を基準として5%〜20%の1種以上の中鎖脂肪酸トリグリセリド;
　(b)　(i)　組成物の乾燥重量を基準として5%〜70%のタンパク質と，
　　　(ii)　組成物の乾燥重量を基準として5%〜50%の脂肪
との少なくとも一方;および
　(c)　(i)　組成物の乾燥重量を基準として5%〜45%の炭水化物，
　　　(ii)　組成物の乾燥重量を基準として1%〜20%の食物繊維，および
　　　(iii)　組成物の乾燥重量を基準として2%〜8%の1種以上の栄養バランス剤
のうちの少なくとも1種を含む，
むイヌ又はネコによる摂取用の組成物。」
　
２．引用刊行物とその記載事項
（１）当審における平成２５年５月２８日付けで通知した拒絶の理由に引用された，本願優先日前に頒布された刊行物である山下政続，門磨義仁，”油脂，特に中鎖トリグリセライドの消化吸収と代謝”，ニューフードインダストリー，株式会社食品資材研究会，昭和５７年，第２４巻，第４号，ｐ．２８〜ｐ.３３（以下「刊行物１」という。）には，油脂，特に中鎖トリグリセライドの消化吸収と代謝に関し，図面とともに次の技術的事項が記載されている。
　（１ａ）「油脂の吸収においては，その構成脂肪酸がかなり重要な因子となっていることがかなり以前から知られている。それによれば，炭素鎖長がＣ10すなわちカプリン酸以下の脂肪酸はリンパ管を経由せずに，門脈を経由して非常に早く吸収されることが報告されている1)2)。
　最近，炭素数６〜１０からなる中鎖脂肪酸とグリセリンで構成されたトリグリセリドすなわち中鎖トリグリセリド・ＭＣＴ（Medium　Chain　Triglyceride）が開発され3)4)5)，そのすぐれた種々の特性から臨床応用，医薬品，食品，化粧品分野に応用する研究が活発に行なわれている6)7)。すなわち，ＭＣＴは従来から使用されている大豆油，サフラワー油，コーン油，ゴマ油などの液状植物油と比較してきわめて速く消化吸収され代謝される特徴をもっている。」（第２８ページ左欄第１２〜２５行）　
　（１ｂ）「１．概要
　中鎖トリグリセライドは一般にＭＣＴの名称でよく知られており，カプロン酸Ｃ6〜カプリン酸Ｃ10の中鎖脂肪酸（ＭＣＦＡ）から構成されている。これに対し，ラウリン酸（Ｃ12）以上の長鎖脂肪酸（ＬＣＦＡ）からなるトリグリセライドは長鎖トリグリセライド・ＬＣＴ（Long　Chain　Triglyceride）と呼ばれ，日常我々が食用としている油脂のほとんどがＬＣＴを主成分としている。
　天然の油脂中にＭＣＴを含有しているものは少なく，動物の乳汁，ヤシの実，ニレの実，ババス脂，パーム核油などにわずかに含まれている程度である11)12)。」（第２８ページ右欄第１〜１１行）
　（１ｃ）「ＭＣＴの最も特徴とするところは，その消化吸収経路がＬＣＴと比べて全く違っている点であり，その吸収速度はＬＣＴの約３〜４倍にもなる13)。さらにＭＣＴはリンパ系を経由することなく，糖類などのほかの栄養素と同様に腸上皮細胞から門脈を経て肝臓に運ばれて，ただちに酸化分解されてエネルギーに変換される。」（第２８ページ右欄第２０〜２５行）
　（１ｄ）「２．ＬＣＴの消化吸収
　通常，我々が口から摂取した動植物油脂（ＬＣＴ）はまず胃に入り，・・・β−モノグリセライド（β−ＭＧ）と遊離脂肪酸が生ずる14)。
　・・・生成したβ−ＭＧと脂肪酸に胆汁酸が作用し複合ミセルを形成する。
　次にこのミセルは・・・最終的にはトリグリセライドに変化する17)。
　再合成されたトリグリセライドは，・・・カイロミクロンを形成し，リンポ系（当審注：「リンパ系」の誤記と認める）へ転送される18)。・・・
　血流に入ったカイロミクロンの大部分は，直接いろいろの臓器や組織にとり込まれるが，主に肝臓，皮下組織，筋肉が活発に摂取する。肝臓では脂肪が分解されて多数の物質の合成材料となる。また筋肉では脂肪が筋肉運動のエネルギー源として利用され，余分の脂肪は皮下組織に貯えられる。
　カイロミクロンが血流から臓器や組織内に取り込まれるさいには，毛細血管の壁と細胞の膜を通過しなければならない。この過程においてはリポプロティンリパーゼが働いてカイロミクロンのトリグリセライドが脂肪酸に分解されることが必要である。リポプロティンリパーゼの作用で脂肪酸の形で取り込んだ組織は再びその組織内でトリグリセライドを合成して貯蔵することになる。」（第２９ページ左欄第１１行〜右欄第１３行）
　（１ｅ）「３．ＭＣＴの消化吸収と代謝
　ＭＣＴの消化吸収経路はＬＣＴと異なり非常に単純である。すなわち，それが吸収されるにあたってはＬＣＴの場合のように複合ミセルを形成する必要がない。そのためリンパ系−血流−肝といった経路を通ることなく直接，門脈−肝といった吸収経路をとる8)。」（第２９ページ右欄第１４〜１９行）
　（１ｆ）「ラットの摘出腸管を用いたカプリル酸，パルミチン酸およびそれらのトリグリセリドすなわちトリオクタノイン，トリパルミチンの１５分間の吸収率を図２に示した21)22)。」（第３０ページ左欄第２２〜２５行）
　（１ｇ）「腸粘膜細胞から物理拡散によって中鎖脂肪酸は門脈に移行する。実際にラットにトリオクタノインを投与すると，その腸間膜静脈血中には約８０％がカプリル酸の形で存在する。一方，リンパ系に移行するトリオクタノインはわずかに２〜５％であった9)。Ｈａｓｈｉｍ25)らは犬についてトリオクタノインの吸収を研究し，門脈血中の脂質の９８％以上がカプリル酸であることを認めている。
　次に，各種脂肪酸の吸収8)9)22)および腸吸収後の脂肪酸の輸送22)を図４，５に示した。
　小腸から門脈に移行した中鎖脂肪酸はその後肝臓に入り，酸化されてエネルギー源になったり，ごくわずかの量が長鎖脂肪酸に変わる。肝臓内に入った中鎖脂肪酸はその９５％以上が酸化されてエネルギーに変換されてしまう。マウスに中鎖脂肪酸を投与すると，２分後にはＣＯ２が発生し始め，６〜８分でピークに達する。投与約１時間後にはＣＯ２への変換率は約７２〜１００％を示す。そして体内への全蓄積量は２．５〜３．０％程度である。これに対してＬＣＴ（トリパルミチン）を投与した時の動物体内へのパルミチン酸の蓄積量は約３０％程度であるという19)。」（第３０ページ右欄第２３行〜第３１頁左欄第１４行）
　（１ｈ）「Ｋａｕｎｉｔｚ26)らは，ラットを用いた実験でＭＣＴを脂肪源とする群はヤシ油，ラードを脂肪源とする群と比べて同じ体重を維持するのに多量の投与を必要とすることを認めた。そしてヤシ油，ラード群と同じカロリーのＭＣＴを投与するとその体重は減少することを見出した。またＭＣＴを投与したラットはＬＣＴ投与ラットより体脂，組織の脂肪蓄積が減少する27)。このようにＭＣＴ投与は脂肪組織への脂肪蓄積が減少することや体重が減少することから肥満の治療・予防に役立つものと思われる28)。」（第３１ページ左欄第２２行〜右欄第４行）
　（１ｉ）「ＭＣＴを利用した製品は粉末油脂タイプのものが主流であるが，これは保存性や取り扱いやすさなどの点を考慮したためだと思われる。しかし最近，錠剤43)，あるいはチューブ栄養，流動食用としてエマルジョンタイプの製品も開発されている44)。またＭＣＴを静脈脂肪乳剤あるいは超栄養カロリー源として利用する研究も行なわれている16)。また病人用あるいは肥満防止用のマーガリンも開発されている45)46)。」（第３２ページ右欄第１９行〜第３３ページ左欄第２行）
　
特に記載事項（１ａ）に着目すると，刊行物１には，次の発明が記載されているといえる。
「中鎖脂肪酸とグリセリンで構成された中鎖トリグリセライドの食品への応用。」（以下，「引用発明」という。）
　
（２）当審における平成２５年５月２８日付けで通知した拒絶の理由に引用された，本願優先日前に頒布された刊行物である特表２００２−５０７４０１号公報（以下「刊行物２」という。）には，ビオチンおよび他のビタミンＢを含有する食物に関し，図面とともに次の事項が記載されている。
　（２ａ）「【００１２】・・・典型的な乾燥した市販のドッグフードまたはキャットフードは，約30％の加工していない蛋白質，約10−20％の脂肪を含み，さらにその残りは食物繊維や灰分を含む炭水化物である。典型的な乾いていないまたは湿った(wet　or　moist)製品は，乾燥材料に基づいて約40％の脂肪，50％の蛋白質を含み，その残りが食物繊維と灰分である。」
　（２ｂ）「【００８６】
　以下に本実施例における完全バランス食の成分を示す。
【００８７】　
　　　成分　　　　　　　　　　　　　　　　　　　　　　含有率
　　　米　　　　　　　　　　　　　　　　　　　　　　　24.9％
　　　トウモロコシ　　　　　　　　　　　　　　　　　　18.8％
　　　粒状小麦　　　　　　　　　　　　　　　　　　　　12.2％
　　　鶏の副製食(chicken　by-product　meal)　　　　　18.7％
　　　トウモロコシグルテンミール　　　　　　　　　　　9.5％
　　　醸造用酵母　　　　　　　　　　　　　　　　　　　1.7％
　　　乾燥卵　　　　　　　　　　　　　　　　　　　　　0.8％
　　　非ヨウ素添加塩　　　　　　　　　　　　　　　　　0.7％
　　　混合ビタミン　　　　　　　　　　　　　　　　　　3.4％
　　　ヒマワリ油　　　　　　　　　　　　　　　　　　　0.5％
　　　牛脂　　　　　　　　　　　　　　　　　　　　　　4.9％
　　　鶏の内臓　　　　　　　　　　　　　　　　　　　　4.4％
　分析プロフィール−水分8.2％，蛋白質26.4％，脂肪10.4％，灰分7.1％，繊維2.2％（残りは窒素を含まない抽出物(主に炭水化物)から成る）。」
　
（３）当審における平成２５年５月２８日付けで通知した拒絶の理由に引用された，本願優先日前に頒布された刊行物である国際公開第０３／０４７３６３号（以下「刊行物３」という。）には，ペット飼育において用いられる方法と組成物に関し，図面とともに次の事項が記載されている。
　なお，刊行物３は英文であるため，そのパテントファミリーである特表２００５−５１０２５７号公報を訳文として用いる。
　（３ａ）「A　typical　feed　for　adult　dogs　may,　e.g.　comprise　at　minimum　25　%　protein,　12　%　fat,　41.5　%　starch,　2.5　%　fibre,　1　%　linolic　acid,　1　%　calcium,　0.8　%　phosphorus,　the　Ca:P　ratio　being　1:1,　0.6　%　potassium,　0.35　%　sodium,　0.09　%　chloride,　0.1　%　magnesium,　170　mg/kg　of　iron,　35　mg/kg　of　copper,　70　mg/kg　of　manganese,　220　mg/kg　of　zinc,　4　mg/kg　of　iodine,　0.43　mg/kg　of　selenium,　15000　IU/kg　of　vitamin　A,　1200　IU/kg　of　vitamin　D,　400　mg/kg　of　vitamin　E,　11　mg/kg　of　vitamin　B1,　6　mg/kg　of　riboflavin,　30　mg/kg　of　pantothenic　acid,　20　mg/kg　of　niacin,　4.3　mg/kg　of　pyridoxine,　0.9　mg/kg　of　folic　acid,　0.2　mg/kg　of　vitamin　B12　,　2500　mg/kg　of　choline,　0.8　mg/kg　biotin,　2500　mg/kg　cholin,　all　percentages　being　based　on　dry　weight　of　the　total　feed　composition.」（第４ページ第１６〜２４行）
（訳：成熟したイヌ用の代表的な飼料は，例えば，最低でもタンパク質２５％，脂肪１２％，デンプン４１．５％，繊維質２．５％，リノール酸１％，カルシウム１％，リン０．８％，Ｃａ：Ｐ比率が１：１であり，カリウム０．６％，ナトリウム０．３５％，塩素０．０９％，マグネシウム０．１％，鉄１７０mg/kg，銅３５mg/kg，マンガン７０mg/kg，亜鉛２２０mg/kg，ヨード４mg/kg，セレン０．４３mg/kg，ビタミンＡ１５０００IU/kg，ビタミンＤ１２００IU/kg，ビタミンＥ４００mg/kg，ビタミンB1１１mg/kg，リボフラビン６mg/kg，パントテン酸３０mg/kg，ニアシン２０mg/kg，ピリドキシン４．３mg/kg，葉酸０．９mg/kg，ビタミンB12０．２μg/kg，コリン２５００mg/kg，ビオチン０．８mg/kg，を含んでおり，全てのパーセンテージは，全飼料組成物の乾燥重量を基準にしている。）
　（３ｂ）「A　typical　feed　for　adult　cats　may,　e.g.　comprise　at　minimum　32　%　protein,　15　%　fat,　27.5　%　starch,　11　%　dietetic　fibres,　4.5　%　fibre,　3.4　%　linolic　acid,　0.08　%　arachionic　acid,　0.15　%　taurin,　50　mg/kg　L-carnitin,　omega　6/3　=　5,　1　%　calcium,　0.8　%　phosphorus,　the　Ca:P　ratio　being　at　least　1:1,　0.6　%　potassium,　0.4　%　sodium,　0.6　%　chloride,　0.08　%　magnesium,　190　mg/kg　of　iron,　30　mg/kg　of　copper,　60　mg/kg　of　manganese,　205　mg/kg　of　zinc,　2.5　mg/kg　of　iodine,　0.2　mg/kg　of　selenium,　25000　IU/kg　of　vitamin　A,　1500　IU/kg　of　vitamin　D,　400　mg/kg　of　vitamin　E,　30　mg/kg　vitamin　C,　20　mg/kg　of　vitamin　B1,　40　mg/kg　of　riboflavin,　56　mg/kg　of　pantothenic　acid,　153　mg/kg　of　niacin,　14　mg/kg　of　pyridoxine,　3.2　mg/kg　of　folic　acid,　0.2　mg/kg　of　vitamin　B12,　1　mg/kg　of　biotin,　3000　mg/kg　of　choline,　all　percentages　being　based　on　dry　weight　of　the　total　feed　composition.」（第５ページ第３０行〜第６ページ第６行）
（訳：成熟したネコ用の代表的な飼料は，例えば，最低でもタンパク質３２％，脂肪１５％，デンプン２７．５％，食物繊維１１％，繊維質４．５％，リノール酸３．４％，アラキドン酸０．０８％，タウリン０．１５％，Ｌ−カルニチン５０mg/kg，ω６／３＝５，カルシウム１％，リン０．８％，Ｃａ：Ｐ比率が少なくとも１：１であり，カリウム０．６％，ナトリウム０．４％，塩素０．６％，マグネシウム０．０８％，鉄１９０mg/kg，銅３０mg/kg，マンガン６０mg/kg，亜鉛２０５mg/kg，ヨード２．５mg/kg，セレン０．２mg/kg，ビタミンＡ２５０００IU/kg，ビタミンＤ１５００IU/kg，ビタミンＥ４００mg/kg，ビタミンＣ３０mg/kg，ビタミンB1２０mg/kg，リボフラビン４０mg/kg，パントテン酸５６mg/kg，ニアシン１５３mg/kg，ピリドキシン１４mg/kg，葉酸３．２mg/kg，ビタミンB12０．２mg/kg，ビオチン１mg/kg，コリン３０００mg/kg，を含んでおり，全てのパーセンテージは，全飼料組成物の乾燥重量を基準にしている。）
　
３．本願発明と引用発明との対比
（１）両発明の対応関係
　引用発明の「中鎖脂肪酸とグリセリンで構成された中鎖トリグリセライド」は，本願発明の「１種以上の中鎖脂肪酸トリグリセリド」に相当する。
　また，引用発明の「食品への応用」は，食品は摂取用であり，また一般に油脂及びそれ以外の栄養素等を含むものであるから，本願発明の「摂取用の組成物」に相当する。
　
（２）両発明の一致点
「１種以上の中鎖脂肪酸トリグリセリドを含む摂取用の組成物」
　
（３）両発明の相違点
（相違点１）
　本願発明は「イヌ又はネコによる」摂取用の組成物であるのに対し，引用発明は，イヌ又はネコを対象とすることは明確でない点。
　
（相違点２）
　本願発明は，摂取用の組成物が，
　中鎖脂肪酸トリグリセリドを「組成物の乾燥重量を基準として5%〜20%」含み，
　さらに，
「(b)(i)組成物の乾燥重量を基準として5%〜70%のタンパク質と，
　　(ii)組成物の乾燥重量を基準として5%〜50%の脂肪
　との少なくとも一方;および
　(c)(i)組成物の乾燥重量を基準として5%〜45%の炭水化物，
　　(ii)組成物の乾燥重量を基準として1%〜20%の食物繊維，および
　　(iii)組成物の乾燥重量を基準として2%〜8%の1種以上の栄養バランス剤
　のうちの少なくとも1種を含む」のに対し，
　引用発明では食品の具体的な組成が示されていない点。
　
４．本願発明の容易推考性の検討
（１）相違点１について
(a)刊行物１には，長鎖トリグリセライドは，リンパ系−血流−肝を経由し，いろいろな臓器や組織，主に肝臓，皮下組織，筋肉が摂取して蓄えられるのに対し，中鎖トリグリセライドは，リンパ系を経由せずに，門脈を経由してただちにエネルギーに変換されること（記載事項（１ｃ）〜（１ｅ）），マウスに中鎖脂肪酸を投与した時の体内への全蓄積量は２．５％〜３．０％程度であるのに対し，ＬＣＴ（トリパルミチン）を投与した時の動物体内へのパルミチン酸の蓄積量は約３０％程度であること（記載事項（１ｇ）），ＭＣＴ投与は脂肪組織への脂肪蓄積が減少することや体重が減少することから肥満の治療・予防に役立つと思われること（記載事項（１ｈ）），肥満防止用のマーガリンが開発されていること（記載事項（１ｉ））が記載されている。
　そして，刊行物１における脂肪蓄積に関する実験はマウス・ラットを用いたものであるが，刊行物１のその余の記載からみて，刊行物１に記載された肥満の治療・予防の対象や肥満防止用のマーガリンを摂取する対象は主にヒトであると解すべきものであるから，刊行物１には，中鎖トリグリセライドが，マウス・ラットのみならずヒトについて肥満の治療・予防効果があること，中鎖トリグリセライドを利用した肥満防止用の食品を開発することが記載されているといえる。
　さらに，刊行物１には，犬について，トリオクタノイン（記載事項（１ｆ）を参照すると，カプリル酸（Ｃ8）のトリグリセリド）の吸収を研究したところ，門脈血中の脂質の９８％以上がカプリル酸であったと記載され（記載事項（１ｇ）），また，「これに対してＬＣＴ（トリパルミチン）を投与した時の動物体内へのパルミチン酸の蓄積量は約３０％程度である」（記載事項（１ｈ））と，広く「動物体内」への蓄積量に言及されている。
　そうすると，長鎖トリグリセライドとは異なる中鎖トリグリセライドの消化・吸収メカニズムは，ヒトやマウス・ラットのほか，イヌやその他の動物にも当てはまるものと認識されるものといえる。
(b)さらに，イヌやネコにおいても，長鎖トリグリセライド及び中鎖トリグリセライドがほかの動物と同様に消化・吸収されることは，例えば，特表２００２−５３７８６１号公報に，「本発明は，哺乳類ペット，特にイヌ，ネコおよびウマに特に適用できる。」（【００２２】）とした上で，「ヤシ油は中鎖脂肪酸（ＭＣＦＡｓ）の含有量が高く，そのようなＭＣＦＡｓは動物の消化管においてより迅速に吸収されることが知られている。」（【００１９】）と記載されているように当業者に知られたものであることからも，イヌやネコがヒトやマウス・ラットと同様の消化・吸収メカニズムをもち，ひいては引用発明の中鎖トリグリセリライドは，イヌやネコにおいても肥満の治療・予防等に役立つものと理解できる。
(c)そして，イヌ及びネコにおける肥満の解消又は予防を目的とした食品はよく知られたものであることに鑑みれば，肥満の解消又は予防の作用効果を有する中鎖トリグリセライド（中鎖脂肪酸トリグリセリド）を，イヌ又はネコの食品に応用し，相違点１に係る発明特定事項とすることは，当業者が容易に想到し得たことである。
(d)なお，特許請求の範囲には中鎖脂肪酸の炭素数等は規定されていないが，本願明細書では中鎖脂肪酸を「炭素数約８〜約１２個の炭素原子を有する飽和脂肪酸鎖」（【００２０】）としているのに対し，刊行物１では中鎖脂肪酸を「炭素数６〜１０からなる中鎖脂肪酸」（記載事項（１ａ））としている。しかしながら，刊行物１の図４，図５を参酌するに炭素数１２の脂肪酸も半分以上の割合で門脈を経由して吸収されていることから，その割合に応じて炭素数８や炭素数１０の脂肪酸と同様のメカニズムで消化・吸収され，ひいてはその割合に応じた程度には肥満の治療・予防等に役立つと理解できる。そうすると，炭素数１２の脂肪酸を含めた範囲を中鎖脂肪酸として肥満の治療・予防等に役立たせることは当業者が容易に想到できるものであり，仮に本願の中鎖脂肪酸がもっぱら炭素数約８〜約１２個のものを意図していたとしても，この点に進歩性を見いだすことはできない。
　
［請求人の主張に関して，］
(e)請求人は，平成２５年１１月２７日付けで意見書で，「刊行物２と刊行物３には，ネコやイヌの肥満の治療・予防という本願発明で目的とする効果の示唆・教示はありません。即ち刊行物２と刊行物３で得ることを意図している効果は，本願発明と明らかに異なっています。それを考慮すると本願発明を行うにあたり，刊行物２と刊行物３に開示された栄養組成の知見を，引例１と組み合わせる動機付けがあるとは認められません。」旨主張しているが，上記(b)に記載した様に，イヌ及びネコの餌を，肥満の配慮をはらったものとすることが，当業者に周知の事項（例えば，請求人の出願に係る特表２００４−５０３２２８号公報に，「ダイエット」とうたった請求人の製品「ヒルズ（登録商標）・プレスクリプション・ダイエット（登録商標）・フィーラインｗ／ｄ（登録商標））（Hill's（登録商標）　Prescription　Diet（登録商標）　Feline　w/d（登録商標））」が引用されている。）である以上，イヌやネコにおいても肥満の治療・予防等に役立つものと理解できる引用発明を，刊行物２，３記載の市販されている又は代表的なイヌ又はネコの餌に応用することに，特段の困難性は認められない。
　
（２）相違点２について
(a)刊行物２，３には，市販されている又は代表的なドッグフード，キャットフードとして，タンパク質，脂肪，炭水化物，食物繊維を含むものが記載されるように，また，刊行物２の記載事項（２ｂ）には「混合ビタミン」と記載され，また，特開平６−６２７６３号公報の段落【００３５】に成分として「ミネラル混合物」等が記載されているように，タンパク質，脂肪，炭水化物，食物繊維，栄養バランス剤を含むイヌ又はネコによる摂取用の組成物は周知のものである。
(b)そして，上記（１）で検討したように，中鎖トリグリセライドが肥満の解消又は予防に資するものであるから，餌を，肥満の配慮をはらったものとするために，ドッグフード又はキャットフードに含まれる脂肪として中鎖トリグリセライド（中鎖脂肪酸トリグリセリド）を含むものとすることは，当業者が容易になし得たことである。その際のその具体的な含有量については，肥満の治療・予防等の効果を奏する範囲で好ましい量を適宜設定すべきものに過ぎない。
(c)また，上記刊行物２には，ドッグフードまたはキャットフードの組成として，タンパク質として約３０％，脂肪として約１０〜２０％，その余，すなわち約５０〜６０％を食物繊維，灰分を含む炭水化物とすることや，混合ビタミンとして３．４％とする事項が記載されている。また，上記刊行物３には，ドッグフードとして最低でもタンパク質２５％，脂肪１２％，デンプン（当審注：「炭水化物」に相当する）４１．５％，繊維質２．５％，その他の栄養として，リノール酸からマグネシウムまでの合計で３．９４％を含ませることが，キャットフードとして，最低でもタンパク質３２％，脂肪１５％，デンプン２７．５％，食物繊維及び繊維質で１５．５％，その他の栄養として，リノール酸からマグネシウムまでの合計で７．１１％を含ませる事項が記載されている。
　タンパク質，脂肪，炭水化物，食物繊維，栄養バランス剤などについて，対象とする動物の嗜好性を考慮するなどして上記刊行物２，３に開示された数値範囲を若干変更する程度のことは，当業者が適宜なし得ることである。また，相違点２に係る含有量としたことによる格別の作用効果は本願明細書から読み取ることはできない。　
(d)よって，相違点２に係る発明特定事項とすることは，当業者が容易になし得たことである。　
　
［請求人の主張に関して，］
(e)請求人は，平成２５年１１月２７日付けで意見書で，「加えて本願明細書の段落番号［００４８］の実験３の結果から，本願請求項１に記載された「5%〜20%」という特定のＭＣＴ含有量を採用することの重要な意義は明らかです。
　本願明細書の段落番号［００４８］の実験３において，
・１）対照標準を与えたグループ１
・２）１４．２％のヤシ油（ＭＣＴ含有量７．１％に相当）を含むフードを与えたグループ２
・３）７．１％のヤシ油（ＭＣＴ含有量４．２７％に相当）を含むフードを与えたグループ３
の間でイヌの体重の減少を比較したところ，グループ２のイヌは体重減少の幅が大きかったという実験データが記載されています。この実験結果は，ＭＣＴ含有量が５％以下であるグループ３と，５％以上であるグループ２では体重減少効果に差が認められたことを示しています。よってこの実験結果は，本願発明で目的とする効果を得るにあたって，本願請求項１に記載された5%〜20%というＭＣＴ含有量を採用することの重要性を示しています。」旨主張している。
(f)本願明細書の段落番号［００４８］には，
「【００４８】
　実験３は，食餌を下記のような仕方で与えた3つのグループのイヌからなった。
　グループ1:対照標準としての，ヒルの処方による体重減少フードr/d(Hill’s　prescription　weight　loss　food　r/d　as　a　control)。
　グループ2:繊維を含まず，14.2%のヤシ油を含有する同じベースのフード。
　グループ3:繊維を含まず，7.1%のヤシ油を含有する同じベースのフード。
　全てのイヌに維持必要量〔必要量=(1.6)(BW0.75)(70)〕にて食餌を与え，割り当て量の全てを摂取させた。グループ2のイヌは，グループ1と3のイヌより大幅に体重が減少した(図3を参照)。」と記載され，図3では，１／２ＭＣＴ，対象標準，ＭＣＴの順に体重変化量が大きくなる傾向が記載されている。
(g)そして，グループ2とグループ3とのフードは，その記載ぶりからしてヤシ油を含有％以外は，同組成と解されるものであるので，ヤシ油を含有％が増えることで，体重減少効果が増加する傾向があると認識出来るものである一方，グループ1のフードは，「繊維を含まず」との特記はなされておらず，さらにヤシ油を含有するか否かも明記されていないことからして，グループ2やグループ3のフードとは，ヤシ油含有％以外も，異なる組成のものと解するのが通常であり，そのようにヤシ油含有％以外の組成も異なるフードを用いた実験の結果から，ヤシ油含有％が，０，7.1%，14.2%と替えたことによる体重減少効果の傾向は確認出来ない。
　さらに，本願明細書は，当該「14.2%のヤシ油」「7.1%のヤシ油」が，【請求項１】等記載の「中鎖脂肪酸トリグリセリド」の含有量のどの値に対応するものかの記載すらなされていないものである。
(h)また、本願発明の摂取用の組成物は、本願明細書【０００９】で「本発明は、一つには、動物摂取のための組成物(たとえば、フード、サプリメント、トリート、または玩具)に関する。」とされたものであり、仮に実験３がヤシ油含有％により特異な体重減少効果の発生を開示するとしても、例えば、組成物をサプリメントとした時も含めてのヤシ油含有％による特異な効果まで認識出来るものではない。
(i)そして，刊行物１記載事項（１ｈ）に「ＭＣＴ投与は・・肥満の治療・予防に役立つ」と記載され，普通にＭＣＴの量が，肥満の治療・予防効果に影響するものと予測しえるものであるので，請求人が主張する段落番号［００４８］の記載をみても，本願請求項１に記載された「5%〜20%」というＭＣＴ含有量が，当業者が予測し得ない格別の効果を生ずるものであるとすることは出来ない。
　
（３）小括
　以上のとおり，本願発明は，引用発明，刊行物２〜３記載の事項，及び当業者に周知の事項に基づいて当業者が容易に発明をすることができたものである。
　
５．むすび
　以上のとおり，本願発明は，特許法第２９条第２項の規定により特許を受けることができない。
　そうすると，このような特許を受けることができない発明を包含する本願は，本願の他の請求項に係る発明について検討するまでもなく拒絶されるべきものである。
　よって，結論のとおり審決する。